(57)【特許請求の範囲】
【請求項１】
シートを収容し且つ装置本体手前側より出し入れ自在に配設されるシートトレイと、
前記シートトレイの挿入方向奥側に設けられて当該シートトレイ内のシートを送り出すシート給送手段とを備えたシート給送装置において、
前記シートトレイに連動して当該シートトレイと同方向に前記シート給送手段を移動させる連動機構を具備させたことを特徴とするシート給送装置。
【請求項２】
請求項１に記載のシート給送装置において、
前記連動機構は、前記シートトレイ及びシート給送手段の移動方向の相対位置関係をずらすように前記シート給送手段を移動させることを特徴とするシート給送装置。
【請求項３】
請求項１に記載のシート給送装置において、
前記シートトレイが前記装置本体外へ引き出され且つ前記シート給送手段が当該装置本体内に収容される位置で、当該シートトレイの引き出し方向への移動を一時的に規制する移動規制手段を具備させたことを特徴とするシート給送装置。
【発明の詳細な説明】
【０００１】
【発明の属する技術分野】
本発明は、プリンタ、複写機、ファクシミリ等で用いられるシート給送装置に係り、特に、出し入れ自在に配設されるシートトレイの挿入方向奥側からシート供給を行うタイプのシート給送装置の改良に関する。
【０００２】
【従来の技術】
従来より公知のプリンタとしては、例えば装置手前側より出し入れ自在に配設される給紙トレイと、この給紙トレイの挿入方向奥側に設けられ、給紙トレイ内に収容される用紙を一枚ずつ捌いて送り出す給紙部と、前記給紙トレイの上部に設けられ、給送された用紙上に画像を形成する画像形成部と、この画像形成部の上部に設けられ、画像形成後の用紙が装置奥側から手前側に向けて排出される排出トレイとを備えたものが知られている（特開平１１−８４９８１号公報参照）。
この種のプリンタでは、上述した構成をとるため、用紙搬送路は略コの字状となり、しかも、前記給紙トレイの挿入方向から見て奥側、すなわち、プリンタ本体の奥側に前記用紙搬送路が設けられることとなる。
【０００３】
このようなプリンタにおいては、プリントサイズに応じて給紙トレイの交換が要求されるため、その分操作が煩雑になってしまうという問題点がある。
そこで、従来より、プリンタ本体の下側に更に別の給紙ユニットを一または複数配設し、プリントサイズに応じた用紙を給紙できるようにしたものが知られている。
ここで、前記給紙ユニットとしては、給紙ユニット本体に対して出し入れ自在に配設される給紙トレイと、この給紙トレイの挿入方向奥側に設けられ、給紙トレイ内に収容される用紙を一枚ずつ捌いて送り出す給紙部とを備えたものが用いられる。このようにすることで、給紙ユニット内における用紙搬送路を奥側とすることができ、給紙ユニットから送り出された用紙を、スムーズにプリンタ本体側へと受け渡すことが可能となる。
【０００４】
【発明が解決しようとする課題】
ところで、このような給紙ユニットでは、用紙搬送中に用紙詰まり（用紙ジャム）が発生することがあり、このような用紙ジャムを除去する手法として、例えば、給紙ユニット本体の奥側に用紙搬送シュートを兼用する開閉自在な扉を設け、この扉を解放することにより、ジャムとなった用紙を除去するようにしたものが知られている（特開平１１−８４９８１号公報参照）。
【０００５】
しかしながら、このような手法を採用する場合には、用紙ジャムの発生を考慮して、給紙ユニットの裏側すなわちプリンタの裏側に扉が開放できるスペースと作業者が入り込めるスペースとを確保しておかなければならないため、その分、実質的な専有面積が大きくなってしまい、スペース効率が低下してしまうという技術的課題が見られた。
【０００６】
本発明は、以上の技術的課題を解決するためになされたものであって、実質的なスペース効率を低下させることなく、しかもジャムとなったシートを容易に除去することのできるシート給送装置を提供するものである。
【０００７】
【課題を解決するための手段】
すなわち、本発明は、図１（ａ）に示すように、シートＳを収容し且つ装置本体１手前側より出し入れ自在に配設されるシートトレイ２と、前記シートトレイ２の挿入方向奥側に設けられて当該シートトレイ２内のシートＳを送り出すシート給送手段３とを備えたシート給送装置において、前記シートトレイ２に連動して当該シートトレイ２と同方向に前記シート給送手段３を移動させる連動機構４を具備させたことを特徴とする。
【０００８】
このような技術的手段において、本願発明は、プリンタ等の画像形成装置の外付けユニットとして用いられるシート給送装置は勿論のこと、画像形成装置本体に内蔵されるシート給送装置もその対象とする。
【０００９】
また、シート給送手段３は、シートＳを送り出す機能を有するものであって、例えば、シートトレイ１上のシートＳを繰り出す繰り出し部材、繰り出されたシートＳを搬送する搬送部材、搬送されるシートＳの搬送路を形成するガイド部材等が含まれる。
【００１０】
更に、連動機構４は、シートトレイ２に連動して当該シートトレイ２と同方向にシート給送手段３を移動させるものであれば、その連動方式については、前記シートトレイと前記シート給送手段とを直接接続する態様や、摺動部材等を介して間接的に接続する態様等適宜選定して差し支えない。
ここで、シートトレイ２へのシート補給を容易にするという観点からすれば、装置本体１から引き出されたシートトレイ２上を、シート給送手段３が覆うという事態は避けることが好ましく、このような観点からすれば、前記連動機構４は、図１（ａ）〜（ｃ）に示すように、前記シートトレイ２及びシート給送手段３の移動方向の相対位置関係をずらすように前記シート給送手段３を移動させることが好ましい。
そして、連動機構４は、シート補給時すなわち装置本体１からシートトレイ２のみを引き出すときには、図１（ｂ）に示すようにシート給送手段３を共に移動させるようにしてもよいし、あるいは、図１（ｄ）に示すようにシート給送手段３と移動させずに初期位置に保持させるようにしてもよい。
【００１１】
また、シート給送手段３は、前記シートトレイ２の引き出しに伴って毎回装置本体１の外まで引き出されるようにしても差し支えないが、引き出し長が長くなってしまう他、シート給送手段３のギアやロール等のメカ部がむき出しとなってしまうため、ユーザーの誤操作等によりシート給送手段３に動作不良を招く危険性が高くなる。
そこで、このような不具合を防止するという観点からすれば、図１（ｂ）に示すように、前記シートトレイ２が前記装置本体１外へ引き出され且つ前記シート給送手段３が当該装置本体１内に収容される位置で、当該シートトレイ２の引き出し方向への移動を一時的に規制する移動規制手段５を具備させることが好ましい。
尚、前記シート給送手段３を装置本体１外に引き出したい場合は、前記移動規制手段５を解除して引き出すようにすればよい。
【００１２】
【発明の実施の形態】
以下、添付図面に示す実施の形態に基づいてこの発明を詳細に説明する。
図２は、本発明が適用された画像形成装置の実施の一形態で用いられる卓上レーザプリンタ（画像形成ユニット２０）を示す。
同図において、前記画像形成ユニット２０は、用紙を供給する給紙部２０ａと、供給された用紙上に画像を形成する画像形成部２０ｂと、画像形成後の用紙が排出される排出トレイ２０ｃとを備えている。
【００１３】
ここで、画像形成部２０ｂは、電子写真方式を用いて画像を形成するものであり、感光体ドラム２１と、前記感光体ドラム２１の表面を一様に帯電する帯電装置２２と、画像データに基づいて感光体ドラム２１にレーザビームＢｍを照射して静電潜像を形成する像書込装置２３と、前記潜像にトナーを選択的に転移させて可視化する現像装置２４と、用紙搬送路２８に沿って供給される用紙（図示せず）に感光体ドラム２１表面のトナー像を転写する転写装置２５と、用紙上のトナー像を加熱・加圧して定着する定着装置２６と、転写後の感光体ドラム２１上に残留するトナーを清掃するクリーニング装置２７とを備えている。
尚、符号２９は、用紙搬送路２８の上流側に設けられ、後述する給紙部２０ａから送り出された用紙を所定のタイミングでトナー像の転写位置へ搬送するレジストロールである。
【００１４】
また、給紙部２０ａは、上下に配設された二つの用紙トレイ３１，３２と、上側又は下側の用紙トレイ３１，３２から用紙を送り出す第１の給紙ロール３３及び第２の給紙ロール３４と、これら各給紙ロール３３，３４に圧接される捌き部材３５，３６と、各用紙トレイ３１，３２に回動自在に取り付けられ上記捌き部材３５，３６を支持するホルダー３７，３８とを有している。
上記用紙トレイ３１，３２のうち、下側に配置された用紙トレイ３２は、画像形成ユニット２０と着脱可能になっており、当該画像形成ユニット２０の手前側（図２において右側）に引き出すことができる。そして、本実施の形態では、ＪＩＳＡ４サイズ縦送りの用紙が収容される用紙トレイ３２の装着時に、用紙トレイ３２全体が画像形成ユニット２０内に収容されるようになっている（図２参照）。
【００１５】
一方、上側の用紙トレイ３１は手差しトレイとなっており、画像形成ユニット２０の手前側から任意の大きさの用紙を簡単に差し入れることができるようになっている。
尚、符号３９は、用紙トレイ３１の手前側に開閉自在に設けられた手差し補助トレイであり、符号４０，４１は前記用紙トレイ３１，３２から送り出された用紙をレジストロール２９に向けて案内する用紙ガイドである。
【００１６】
更に、この画像形成ユニット２０では、メンテナンス性の向上等を目的として、感光体ドラム２１、及びその周辺の帯電装置２２、現像装置２４やクリーニング装置２７等がプロセスカートリッジ４２として一体的に形成されており、このプロセスカートリッジ４２は、一部が排出トレイ２０ｃを兼ねる上部カバー４３を開くことによって、画像形成ユニット２０の上方に引き上げることが可能になっている。
【００１７】
そして、画像形成ユニット２０では、前記プロセスカートリッジ４２を着脱自在に構成することで、プロセスカートリッジ４２の交換が容易になることは勿論のこと、画像形成ユニット２０内で用紙ジャムが発生した場合には、このプロセスカートリッジ４２を取り外すことで、容易に用紙を除去することが可能となっている。更に、前記プロセスカートリッジ４２を取り外した場合には、前記用紙ガイド４０，４１がレジストロール２９の一方のロール軸を中心として揺動自在に配設されているため、これら用紙ガイド４０，４１をずらすことにより、当該部位で発生したジャムも容易に除去することが可能である。
尚、符号４４は、用紙トレイ３２の奥側に設けられ、後述する外付け給紙ユニット７０（図５参照）から送り出された用紙が搬入される用紙搬送路である。
【００１８】
図３は、図２に示す画像形成ユニット２０（卓上レーザプリンタ）をベースとして構成した画像形成装置の実施の形態１の斜視図を示す。この画像形成装置は、複写機、ファクシミリ、プリンタ、スキャナの各機能を具備する所謂複合機である。
同図において、本実施の形態に係る画像形成装置は、上述した画像形成ユニット２０と、この画像形成ユニット２０の上部に配設された自動原稿読取ユニット５０と、前記画像形成ユニットの下部に配設されたシート給送装置としての給紙ユニット６０とを備えている。また、自動原稿読取ユニット５０の手前側には操作パネル５１が配置されている。
【００１９】
また、図４は、図３に示す画像形成装置の側面図を示す。
ここで、本実施の形態に係る画像形成装置では、画像形成ユニット２０の用紙トレイ３２に収容される用紙より大きな用紙を収容可能とするため、給紙ユニット６０の奥行きが画像形成ユニット２０の奥行きより大きくなっている。
そして、本実施の形態では、画像形成ユニット２０を、画像形成装置の手前側（操作パネル５１側）に偏倚して配設することで、画像形成ユニット２０及び給紙ユニット６０の前面が略同一面を形成するようになっている。
尚、画像形成ユニット２０の両側面には、自動原稿読取ユニット５０を支持する支持壁５２が配設されており、画像形成ユニット２０の排出トレイ２０ｃ（図２参照）上に所定の空間が形成されるようになっている。
【００２０】
次に、図５を参照しながら、給紙ユニット６０について説明する。尚、図５では、自動原稿読取ユニット５０の記載を省略している。
本実施の形態において、給紙ユニット６０は、画像形成ユニット２０の用紙トレイ３２に収容される用紙より大きい用紙、例えばＪＩＳＡ３サイズの用紙を収容可能な外付け給紙ユニット７０を二つ備えている。
この外付け給紙ユニット７０は、筐体７１と、画像形成装置の手前側（図５において右側）に引き出すことが可能な外付け給紙トレイ７２と、この外付け給紙トレイ７２の挿入方向奥側上部に設けられ、挿入された外付け給紙トレイ７２内の用紙を前記画像形成ユニット２０側に向けて送り出す給紙機構７３とを有している。
【００２１】
図６（ａ）は前記外付け給紙ユニット７０のうちの外付け給紙トレイ７２及び給紙機構７３を抜き出したものである。
同図において、外付け給紙トレイ７２は、トレイベース１０１と、当該外付け給紙トレイ７２の略中央部から挿入方向奥側に向かって配設されたボトムプレート１０２と、当該外付け給紙トレイ７２の略中央部から挿入方向手前側に向けて移動自在に設けられた用紙エンドガイド１０３とを有している。そして、前記ボトムプレート１０２は、前記給紙トレイの略中央部に設けられた軸１０２ａを中心に揺動自在となっており、図示しないばね等の付勢部材により図中上側に向けて付勢されている。尚、符号１０４は、外付け給紙トレイ７２を引き出すためのレバーである。
一方、給紙機構７３は、給紙機構ベース１１１と、外付け給紙トレイ７２に載置される用紙（図示せず）を繰り出す半月型のフィードロール１１２と、繰り出された用紙を搬送する搬送ロール対１１３（１１３ａ、１１３ｂ）と、搬送される用紙を案内する外側シュート１１４及び内側シュート１１５とを有している。また、外付け給紙トレイ７２の挿入方向奥側の両端にはコーナセパレータ１０５（図６（ｂ）参照）が設けられており、フィードロール１１２にて繰り出された用紙が一枚ずつ送り出されるようになっている。
尚、符号１１６、１１７は前記フィードロール１１２や搬送ロール１１３ｂに駆動力を伝達するギアである。
【００２２】
前記外側シュート１１４は、図７に示すように、前記給紙機構ベース１１１の下側端部に設けられた軸１１４ａを中心に回動自在となっており、その自由端先端部には前記搬送ロール１１３ａが取り付けられている。また、この外側シュート１１４は、図示しないばね等の付勢手段によりフィードロール１１２側に付勢されおり、通常は図中実線で示した位置に位置決めされる。
一方、前記内側シュート１１５も前記給紙機構ベース１１１の下側に設けられた軸１１５ａを中心に回動自在となっている。そして、この内側シュート１１５は、前記外側シュート１１４に対する付勢力により、通常は図中実線で示した位置に位置決めされる。
【００２３】
また、外側シュート１１４の軸方向略中央部には、紙はさみレバー１１８が設けられている。
この紙はさみレバー１１８は、前記外側シュート１１４と略同様の曲面を有するものであり、図示しないねじりばねによりフィードロール１１２方向に付勢されている。そして、給紙機構７３が筐体７１の奥側に収容されるときには、筐体７１内に設けられた図示しない突起により、紙はさみレバー１１８の背面が押圧されて、前記外側シュート１１４と略同一面を形成して用紙搬送路を塞がない状態とする一方、前記給紙機構７３が前記筐体７１から引き出されるときには、前記図示しない突起による押圧が解除され、図示しないねじりばねの付勢力により用紙搬送路を塞ぐ状態とする。
【００２４】
また、本実施の形態に係る外付け給紙ユニット７０は、図８（ａ）〜（ｃ）に模式的に示すように、まず、筐体７１に対して給紙機構７３の給紙機構ベース１１１が、外側レール１２１（１２１ａ、１２１ｂ）を介して摺動自在に支持され、更に、前記給紙機構ベース１１１に対して外付け給紙ユニット７２のトレイベース１０１が、内側レール１２２（１２２ａ、１２２ｂ）を介して摺動自在に支持されている。
これにより、本実施の形態に係る外付け給紙ユニット７０では、外付け給紙トレイ７２が筐体７１の手前側から引き出せるようになっているのは勿論のこと、給紙機構７３も筐体７１の手前側から引き出せるようになっている。
【００２５】
そして、前記給紙機構ベース１１１のうち、外側レール１２１ａと内側レール１２２ａとに挟まれた部位には、給紙機構７３の引き出しを一時的にロックするロック機構１３０が設けられている。
このロック機構１３０は、図９（ａ）に示すように、給紙機構ベース１１１に設けられた軸１３１ａを中心に揺動するレバー１３１と、前記軸１３１ａの上部に設けられた軸１３１ｂに連結されるＩ字状の第一アーム１３２と、この第一アーム１３２の他端に設けられた軸１３２ａに連結されるＬ字状の第二アーム１３３とを有している。この第二アーム１３３は、前記給紙機構ベース１１１に設けられた軸１３３ａを中心に揺動自在となっており、その自由端部には、一端に傾斜面が形成され他端には垂直面が形成されるフック１３３ｂが設けられている。そして、前記レバー１３１には、孔１３１ｃを介してばね１３１ｄが付設されており、通常は図中左方向にレバー１３１を付勢するようになっている。
一方、図８及び図９に示すように、筐体７１の底面のうち、外付け給紙トレイ７２の挿入方向手前側部位には、前記フック１３３ｂが係合する突起７１ａが形成されている。
この突起７１ａは、前記フック１３３ｂに対応して一端に傾斜面が形成され他端には傾斜面が形成されており、垂直面同士及び傾斜面同士が対向するように配設されている。
【００２６】
また、本実施の形態では、図５から明らかなように、外付け給紙ユニット７０から用紙が排出される位置と、画像形成ユニット２０の用紙搬送路４４の位置（用紙が搬入される位置）とが偏倚していることから、給紙ユニット６０には、これら用紙搬送路を整合させるための中間搬送ユニット８０が設けられている。
この中間搬送ユニット８０には、外付け給紙ユニット７０からの用紙を画像形成ユニット２０へと搬送する略Ｓ字状の用紙搬送路８１が形成されており、この用紙搬送路８１に沿って、搬送方向上流から順に搬送ロール対８２〜８４が配設されている。
尚、図５において符号９０は、給紙ユニット６０の最も下側に設けられ、画像形成装置の高さを調整する架台である。
【００２７】
次に、本実施の形態に係る画像形成装置の作像プロセスについて説明する。
今、コピーボタンの押下、ファクシミリの受信、あるいはプリント信号の受信が行われると、所定の作像プロセスが実行される。
具体的に述べると、例えばコピーが行われる場合には、原稿を自動原稿読取ユニット５０で読み取り、その読取信号を図示しない画像信号処理装置によりデジタル画像信号に変換して図示しないメモリーに一時的に蓄積し、このデジタル画像信号に基づいてトナー像形成を行わせるようにする。
【００２８】
すなわち、画像信号処理装置から入力されるデジタル画像信号に応じて、帯電装置２２により一様に帯電された感光体ドラム２１に、像書込装置２３にて静電潜像を書き込ませる。
そして、形成された静電潜像を現像装置２４により現像してトナー像を形成させる。
一方、用紙は、所定のタイミングで感光体ドラム２１と転写装置２５とが対向する転写位置へと搬送される。
そして、転写位置において感光体ドラム２１と転写装置２５との間に形成される転写電界の作用で、感光体ドラム２１上に担持されたトナー像が用紙に転写される。このトナー像が転写された用紙は、定着装置２６へと搬送され定着が行われた後、装置の奥側より排出トレイ２０ｃ上に排出される。
一方、転写後に感光体ドラム２１上に残留したトナーはクリーニング装置２７によってクリーニングされる。
【００２９】
ここで、本実施の形態に係る外付け給紙ユニット７０の用紙補給方法について説明する。
外付け給紙ユニット７０に用紙を補給する場合、ユーザーは、まず、図１０に示すように外付け給紙トレイ７２のレバー１０４を装置手前側に引き出す。
このとき、外付け給紙ユニット７０では、図８（ａ）（ｂ）に示すように、レバー１０４の引き出しに伴って、まず、外付け給紙トレイ７２が内側レール１２２を滑りながら引き出され、次いで、この内側レール１２２が伸びきった時点で、前記外付け給紙トレイ７２に引っ張られる形で給紙機構ベース１１１（及び給紙機構７３）が外側レール１２１を滑りながら引き出される。そして、給紙機構ベース１１１に設けられたロック機構１３０のフック１３３ｂが筐体７１の突起７１ａに当たると、外付け給紙トレイ７２及び給紙機構７３の引き出しが停止される。
【００３０】
このとき、引き出された外付け給紙トレイ７２及び給紙機構７３の位置関係は、図６（ｂ）及び図８（ｂ）に示した状態、すなわち、給紙時において外付け給紙トレイ７２の上部にあったフィードロール１１２（図６（ａ）参照）が、引き出し時には外付け給紙トレイ７２よりも相対的に奥側に配置された状態となる。従って、図８（ｂ）及び図１０に示すように、筐体７１の外にでた外付け給紙トレイ７２を遮るものはなく、新しい用紙の挿入が容易になる。
また、用紙補給だけを行う際には、ロック機構１３０により給紙機構７３全体が筐体７１から引き出されないので、その分、引き出される長さはコンパクトになる。
【００３１】
次に、本実施の形態に係る外付け給紙ユニット７０内で生じた用紙ジャムの除去方法について説明する。
外付け給紙ユニット７０内のジャム用紙を除去する場合も、ユーザーは、まず、図１０に示すように外付け給紙トレイ７２のレバー１０４を装置手前側に引き出す。
このとき、外付け給紙ユニット７０では、図８（ａ）（ｂ）に示すように、レバー１０４の引き出しに伴って、まず、外付け給紙トレイ７２が内側レール１２２を滑りながら引き出され、次いで、この内側レール１２２が伸びきった時点で、前記外付け給紙トレイ７２に引っ張られる形で給紙機構ベース１１１（及び給紙機構７３）が外側レール１２１を滑りながら引き出される。
このとき、給紙機構ベース１１１の引き出しに伴って、図７に示す紙はさみレバー１１８への押圧が解除されて用紙搬送路側へ向けて倒され、用紙搬送路内でジャムとなっている用紙が強制的に挟み込まれる。
そして、給紙機構ベース１１１に設けられたロック機構１３０のフック１３３ｂが筐体７１の突起７１ａに当たると、外付け給紙トレイ７２及び給紙機構７３の引き出しが一時的に停止される。
【００３２】
その後、ユーザーは、筐体７１の外に出てきたレバー１３１を、図１０及び図１１において装置手前方向（図９（ａ）においては右方向）に倒す。
すると、図９（ｂ）に示すように、前記フック１３３ｂと前記突起７１ａとの係合が解除され、ユーザーがこの状態で更にレバー１０４を引き出すと、前記外付け給紙トレイ７２に引っ張られる形で給紙機構ベース１１１（及び給紙機構７３）が外側レール１２１を滑りながら更に引き出される。
そして、給紙機構７３全体が筐体７１の外に出た直後に前記外側レール１２１が伸びきり、外付け給紙トレイ７２及び給紙機構７３の引き出しが最終的に停止される。
【００３３】
そして、ユーザーは、図７に示す外側シュート１１４を押して回動させ、用紙搬送路（外側シュート１１４と内側シュート１１５との間に形成される用紙搬送路、及び、内側シュート１１５と搬送ロール１１３ｂとの間に形成される用紙搬送路の二本）を解放させ、ジャムとなった用紙を引きずり出してジャム処理を完了する。
【００３４】
本実施の形態では、給送機構７３を筐体７１の手前側（画像形成装置の手前側）に引き出し自在とすることで、外付け給紙トレイ７２の奥側に設けられた用紙搬送路で用紙ジャムが生じるような場合にも、ユーザー側（画像形成装置の手前側）からジャムとなった用紙の除去を行うことができる。
【００３５】
【発明の効果】
以上説明したように、本発明によれば、シートトレイの奥側に設けられたシート給送手段を、シートトレイと連動させて装置手前側に引き出すようにしたので、シートの補給及びシートのジャム処理を共に装置手前側から行うことができ、それゆえ、実質的なスペース効率を低下させることなく、しかもジャムとなったシートを容易に除去することができる。
【図面の簡単な説明】
【図１】  本発明に係る画像形成装置の概要を示す説明図である。
【図２】  実施の形態に係る画像形成装置で用いられる卓上レーザプリンタ（画像形成ユニット）の概要を示す説明図である。
【図３】  実施の形態に係る画像形成装置の斜視図である。
【図４】  実施の形態に係る画像形成装置の側面図である。
【図５】  実施の形態に係る画像形成ユニット及び給紙ユニットの断面図である。
【図６】  （ａ）（ｂ）は外付け給紙ユニットの断面図である。
【図７】  給紙機構の説明図である。
【図８】  （ａ）〜（ｃ）は外付け給紙ユニットにおける外付け給紙トレイ及び給紙機構の出し入れを示す模式図である。
【図９】  （ａ）（ｂ）は給紙機構のロック機構の説明図である。
【図１０】  外付け給紙ユニットでの給紙方法の説明図である。
【図１１】  外付け給紙ユニット中でのジャム処理方法の説明図である。
【符号の説明】
１…装置本体，２…シートトレイ，３…シート給送手段，４…連動機構，５…移動規制手段，Ｓ…シート
【図１】
0003818362.tif 000002
【図２】
0003818362.tif 000003
【図３】
0003818362.tif 000004
【図４】
0003818362.tif 000005
【図５】
0003818362.tif 000006
【図６】
0003818362.tif 000007
【図７】
0003818362.tif 000008
【図８】
0003818362.tif 000009
【図９】
0003818362.tif 000010
【図１０】
0003818362.tif 000011
【図１１】
0003818362.tif 000012